(57)【要約】      （修正有）【課題】操作画面のカスタマイズを行った情報処理装置とは異なる情報処理装置であって、カスタマイズを行った情報処理装置と通信ができない情報処理装置においても、カスタマイズされた操作画面を表示することを可能にする情報処理システム及びプログラムを提供する。【解決手段】画像形成装置の表示部は、操作画面をユーザ毎に設定するためのカスタマイズ情報を生成する生成手段として機能する。画像形成装置の通信部は、ウェアラブル端末装置１０との間でカスタマイズ情報の送受信を行っている。ウェアラブル端末装置１０の記憶部は、画像形成装置２０Ａから送信されたカスタマイズ情報を記憶する。そして、ウェアラブル端末装置１０の無線通信部は、カスタマイズ情報を生成した画像形成装置２０Ａとは異なる他の画像形成装置２０Ｂと接続された場合、記憶部に記憶されたカスタマイズ情報を接続された画像形成装置２０Ｂに送信するよう構成されている。【選択図】図１
2020030708.tif 000002
【特許請求の範囲】
【請求項１】
操作画面を使用者毎に設定するための個人設定情報を生成する生成手段と、
前記生成手段により生成された個人設定情報を外部の装置に送信する送信手段と、を備える情報処理装置と、
前記情報処理装置から送信された個人設定情報を記憶する記憶手段と、
個人設定情報を生成した情報処理装置とは異なる他の情報処理装置と接続された場合、前記記憶手段に記憶された個人設定情報を接続された当該他の情報処理装置に送信する送信手段と、を備える携帯端末装置と、
を備えた情報処理システム。
【請求項２】
前記他の情報処理装置は、前記携帯端末装置から個人設定情報が送信された場合、前記個人設定情報を用いて生成された操作画面を表示するよう制御する表示制御手段を備える請求項１記載の情報処理システム。
【請求項３】
前記表示制御手段は、
前記他の情報処理装置の操作画面の大きさが、個人設定情報を生成した情報処理装置の操作画面の大きさと異なる場合に、前記他の情報処理装置の操作画面の大きさに合わせて、前記携帯端末装置から送信された個人設定情報を用いて生成された操作画面の表示内容を変更するよう制御する請求項２記載の情報処理システム。
【請求項４】
前記表示制御手段は、
前記他の情報処理装置の操作画面の大きさが、個人設定情報を生成した情報処理装置の操作画面の大きさと異なる場合に、前記他の情報処理装置の操作画面の大きさに合わせて、前記携帯端末装置から送信された個人設定情報を用いて生成された操作画面の大きさを変更するよう制御する請求項３記載の情報処理システム。
【請求項５】
前記表示制御手段は、
前記他の情報処理装置の操作画面の大きさが、個人設定情報を生成した情報処理装置の操作画面の大きさと異なる場合に、前記他の情報処理装置の操作画面の大きさに合わせて、前記携帯端末装置から送信された個人設定情報を用いて生成された操作画面を複数ページに分けて表示されるよう制御する請求項３記載の情報処理システム。
【請求項６】
前記携帯端末装置は、前記情報処理装置から送信された個人設定情報を用いて生成された操作画面を表示する表示手段を備える請求項１記載の情報処理システム。
【請求項７】
前記携帯端末装置は、前記表示手段により前記情報処理装置から送信された個人設定情報を用いて生成された操作画面を表示する場合、前記他の情報処理装置の操作画面における表示機能を一時的に停止するよう制御する表示制御手段を備える請求項６記載の情報処理システム。
【請求項８】
前記表示制御手段は、
前記携帯端末装置の操作画面の大きさに合わせて、前記情報処理装置から送信された個人設定情報を用いて生成された操作画面の表示内容を変更するよう制御する請求項７記載の情報処理システム。
【請求項９】
前記表示制御手段は、
前記携帯端末装置の操作画面の大きさに合わせて、前記情報処理装置から送信された個人設定情報を用いて生成された操作画面の大きさを変更して表示するよう制御する請求項８記載の情報処理システム。
【請求項１０】
前記表示制御手段は、
前記携帯端末装置の操作画面の大きさに合わせて、前記情報処理装置から送信された個人設定情報を用いて生成された操作画面を複数ページに分けて表示するよう制御する請求項８記載の情報処理システム。
【請求項１１】
前記携帯端末装置は、前記表示手段に表示された操作画面に対する使用者の操作に基づいて、前記他の情報処理装置の動作を制御する動作制御手段を備える請求項６から１０いずれかに記載の情報処理システム。
【請求項１２】
情報処理装置を用いて操作画面を使用者毎に設定するための個人設定情報を生成するステップと、
生成された個人設定情報を前記情報処理装置から外部の装置に送信するステップと、
前記情報処理装置から送信された個人設定情報を携帯端末装置に記憶するステップと、
前記携帯端末装置が、個人設定情報を生成した情報処理装置とは異なる他の情報処理装置と接続された場合、前記携帯端末装置に記憶された個人設定情報を接続された当該他の情報処理装置に送信するステップと、
をコンピュータに実行させるためのプログラム。
【発明の詳細な説明】
【技術分野】
【０００１】
本発明は、情報処理システム及びプログラムに関する。
【背景技術】
【０００２】
特許文献１には、パネルの画面をカスタマイズ可能な画像形成装置であって、該画面のカスタマイズデータを有した外部メディアの接続を検知するメディア検知手段と、該カスタマイズデータに沿って前記画面の表示処理を実行する処理実行手段とを具備することを特徴とする画像形成装置が開示されている。
【先行技術文献】
【特許文献】
【０００３】
【特許文献１】特開２００９−１９２６０４号公報
【発明の概要】
【発明が解決しようとする課題】
【０００４】
本発明の目的は、操作画面のカスタマイズを行った情報処理装置とは異なる情報処理装置であって、カスタマイズを行った情報処理装置と通信ができない情報処理装置においても、カスタマイズされた操作画面を表示することが可能な情報処理システムおよびプログラムを提供することである。
【課題を解決するための手段】
【０００５】
請求項１に係る本発明は、操作画面を使用者毎に設定するための個人設定情報を生成する生成手段と、前記生成手段により生成された個人設定情報を外部の装置に送信する送信手段と、を備える情報処理装置と、前記情報処理装置から送信された個人設定情報を記憶する記憶手段と、個人設定情報を生成した情報処理装置とは異なる他の情報処理装置と接続された場合、前記記憶手段に記憶された個人設定情報を接続された当該他の情報処理装置に送信する送信手段と、を備える携帯端末装置と、を備えた情報処理システムである。
【０００６】
請求項２に係る本発明は、前記他の情報処理装置は、前記携帯端末装置から個人設定情報が送信された場合、前記個人設定情報を用いて生成された操作画面を表示するよう制御する表示制御手段を備える請求項１記載の情報処理システムである。
【０００７】
請求項３に係る本発明は、前記表示制御手段は、前記他の情報処理装置の操作画面の大きさが、個人設定情報を生成した情報処理装置の操作画面の大きさと異なる場合に、前記他の情報処理装置の操作画面の大きさに合わせて、前記携帯端末装置から送信された個人設定情報を用いて生成された操作画面の表示内容を変更するよう制御する請求項２記載の情報処理システムである。
【０００８】
請求項４に係る本発明は、前記表示制御手段は、前記他の情報処理装置の操作画面の大きさが、個人設定情報を生成した情報処理装置の操作画面の大きさと異なる場合に、前記他の情報処理装置の操作画面の大きさに合わせて、前記携帯端末装置から送信された個人設定情報を用いて生成された操作画面の大きさを変更するよう制御する請求項３記載の情報処理システムである。
【０００９】
請求項５に係る本発明は、前記表示制御手段は、前記他の情報処理装置の操作画面の大きさが、個人設定情報を生成した情報処理装置の操作画面の大きさと異なる場合に、前記他の情報処理装置の操作画面の大きさに合わせて、前記携帯端末装置から送信された個人設定情報を用いて生成された操作画面を複数ページに分けて表示されるよう制御する請求項３記載の情報処理システムである。
【００１０】
請求項６に係る本発明は、前記携帯端末装置は、前記情報処理装置から送信された個人設定情報を用いて生成された操作画面を表示する表示手段を備える請求項１記載の情報処理システムである。
【００１１】
請求項７に係る本発明は、前記携帯端末装置は、前記表示手段により前記情報処理装置から送信された個人設定情報を用いて生成された操作画面を表示する場合、前記他の情報処理装置の操作画面における表示機能を一時的に停止するよう制御する表示制御手段を備える請求項６記載の情報処理システムである。
【００１２】
請求項８に係る本発明は、前記表示制御手段は、前記携帯端末装置の操作画面の大きさに合わせて、前記情報処理装置から送信された個人設定情報を用いて生成された操作画面の表示内容を変更するよう制御する請求項７記載の情報処理システムである。
【００１３】
請求項９に係る本発明は、前記表示制御手段は、前記携帯端末装置の操作画面の大きさに合わせて、前記情報処理装置から送信された個人設定情報を用いて生成された操作画面の大きさを変更して表示するよう制御する請求項８記載の情報処理システムである。
【００１４】
請求項１０に係る本発明は、前記表示制御手段は、前記携帯端末装置の操作画面の大きさに合わせて、前記情報処理装置から送信された個人設定情報を用いて生成された操作画面を複数ページに分けて表示するよう制御する請求項８記載の情報処理システムである。
【００１５】
請求項１１に係る本発明は、前記携帯端末装置は、前記表示手段に表示された操作画面に対する使用者の操作に基づいて、前記他の情報処理装置の動作を制御する動作制御手段を備える請求項６から１０いずれかに記載の情報処理システムである。
【００１６】
請求項１２に係る本発明は、情報処理装置の操作画面を使用者毎に設定するための個人設定情報を生成するステップと、生成された個人設定情報を前記情報処理装置から外部の装置に送信するステップと、前記情報処理装置から送信された個人設定情報を携帯端末装置に記憶するステップと、前記携帯端末装置が、個人設定情報を生成した情報処理装置とは異なる他の情報処理装置と接続された場合、前記携帯端末装置に記憶された個人設定情報を接続された当該他の情報処理装置に送信するステップと、をコンピュータに実行させるためのプログラムである。
【発明の効果】
【００１７】
請求項１に係る本発明によれば、操作画面のカスタマイズを行った情報処理装置とは異なる情報処理装置であって、カスタマイズを行った情報処理装置と通信ができない情報処理装置においても、カスタマイズされた操作画面を表示することが可能な情報処理システムを提供することができる。
【００１８】
請求項２に係る本発明によれば、操作画面のカスタマイズを行った情報処理装置とは異なる情報処理装置であって、カスタマイズを行った情報処理装置と通信ができない情報処理装置においても、カスタマイズされた操作画面を表示することが可能な情報処理システムを提供することができる。
【００１９】
請求項３に係る本発明によれば、操作画面のカスタマイズを行った情報処理装置とは異なる情報処理装置であって、カスタマイズを行った情報処理装置と通信ができない情報処理装置において、カスタマイズされた操作画面の一部が表示されなくなるのを防止することが可能な情報処理システムを提供することができる。
【００２０】
請求項４に係る本発明によれば、操作画面のカスタマイズを行った情報処理装置とは異なる情報処理装置であって、カスタマイズを行った情報処理装置と通信ができない情報処理装置において、カスタマイズされた操作画面の一部が表示されなくなるのを防止することが可能な情報処理システムを提供することができる。
【００２１】
請求項５に係る本発明によれば、操作画面のカスタマイズを行った情報処理装置とは異なる情報処理装置であって、カスタマイズを行った情報処理装置と通信ができない情報処理装置において、カスタマイズされた操作画面の一部が表示されなくなるのを防止することが可能な情報処理システムを提供することができる。
【００２２】
請求項６に係る本発明によれば、携帯端末装置の表示部に、情報処理装置でカスタマイズされた操作画面を表示させることが可能な情報処理システムを提供することができる。
【００２３】
請求項７に係る本発明によれば、二重に操作されることを防止することが可能な情報処理システムを提供することができる。
【００２４】
請求項８に係る本発明によれば、携帯端末装置において、情報処理装置でカスタマイズされた操作画面の一部が表示されなくなるのを防止することが可能な情報処理システムを提供することができる。
【００２５】
請求項９に係る本発明によれば、携帯端末装置において、情報処理装置でカスタマイズされた操作画面の一部が表示されなくなるのを防止することが可能な情報処理システムを提供することができる。
【００２６】
請求項１０に係る本発明によれば、携帯端末装置において、情報処理装置でカスタマイズされた操作画面の一部が表示されなくなるのを防止することが可能な情報処理システムを提供することができる。
【００２７】
請求項１１に係る本発明によれば、携帯端末装置のカスタマイズされた操作画面を用いて、情報処理装置を操作することが可能な情報処理システムを提供することができる。
【００２８】
請求項１２に係る本発明によれば、操作画面のカスタマイズを行った情報処理装置とは異なる情報処理装置であって、カスタマイズを行った情報処理装置と通信ができない情報処理装置においても、カスタマイズされた操作画面を表示することが可能なプログラムを提供することができる。
【図面の簡単な説明】
【００２９】
【図１】本発明の一実施形態の情報処理システムの構成を示すシステム図である。
【図２】本発明の一実施形態のウェアラブル端末装置１０のハードウェア構成を示すブロック図である。
【図３】本発明の一実施形態のウェアラブル端末装置１０の機能構成を示す図である。
【図４】本発明の一実施形態の画像形成装置２０のハードウェア構成を示すブロック図である。
【図５】本発明の一実施形態の画像形成装置２０の機能構成を示す図である。
【図６】（Ａ）〜（Ｃ）は、それぞれカスタマイズ情報の一例を示す図である。
【図７】（Ａ）及び（Ｂ）は、それぞれカスタマイズ画面の表示例を示す図である。
【図８】本発明の一実施形態の画像形成装置２０Ａの操作画面を示す図ある。
【図９】本発明の一実施形態の画像形成装置２０Ａとウェアラブル端末装置１０における動作を説明するための図である。
【図１０】本発明の一実施形態のウェアラブル端末装置１０と画像形成装置２０Ｂにおける動作を説明するための図である。
【図１１】本発明の一実施形態の画像形成装置２０Ｂにおける動作を説明するための図である。
【図１２】カスタマイズ画面の変形例を示す図である。
【図１３】本発明の一実施形態のウェアラブル端末装置１０の表示部４２に表示されるカスタマイズ画面の表示例を示す図である。
【発明を実施するための形態】
【００３０】
次に、本発明の実施の形態について図面を参照して詳細に説明する。
【００３１】
図１は、本発明の一実施形態の情報処理システムのシステム構成を示す図である。
【００３２】
本発明の一実施形態の情報処理システムは、図１に示されるように、ユーザが身に着けて携帯可能な携帯端末装置であるリスト型のウェアラブル端末装置１０と、情報処理装置である画像形成装置２０Ａ、画像形成装置２０Ｂとから構成されている。
【００３３】
ウェアラブル端末装置１０は、画像形成装置２０Ａ、画像形成装置２０Ｂと、それぞれＢｌｕｅｔｏｏｔｈ（登録商標）等の近距離無線通信により相互に接続され情報の送受信を行う。
【００３４】
また、ウェアラブル端末装置１０は、印刷ジョブを生成して、Ｂｌｕｅｔｏｏｔｈ（登録商標）により生成した印刷ジョブを画像形成装置２０Ａまたは画像形成装置２０Ｂに対して送信する。
【００３５】
画像形成装置２０Ａまたは画像形成装置２０Ｂは、ウェアラブル端末装置１０から送信された印刷ジョブを受け付けて、印刷ジョブに応じた画像を用紙上に出力する。
【００３６】
なお、画像形成装置２０Ａ及び画像形成装置２０Ｂは、印刷（プリント）機能、スキャン機能、複写（コピー）機能、ファクシミリ機能等の複数の機能を有するいわゆる複合機と呼ばれる装置である。
【００３７】
以下の説明では、本実施形態の情報処理システムにおいて、画像形成装置２０Ａにおいて、操作画面のコピー、スキャン、ファックス、電子メール、プリント等の各種機能メニューの表示をカスタマイズして設定登録し、ウェアラブル端末装置１０を用いて、画像形成装置２０Ｂに画像形成装置２０Ａで設定登録したカスタマイズ画面を表示する場合を用いて説明する。
【００３８】
先ず、本実施形態の情報処理システムにおけるウェアラブル端末装置１０のハードウェア構成を図２に示す。
【００３９】
ウェアラブル端末装置１０は、図２に示されるように、ＣＰＵ１１と、一時的にデータを保存可能なメモリ１２と、ハードディスクドライブ（ＨＤＤ）等の記憶装置１３と、タッチパネル又は液晶ディスプレイ並びにキーボードを含むユーザインタフェース（ＵＩ）装置１４と、外部の装置等との間でデータの送信及び受信を行う通信インタフェース（ＩＦ）１５とを備えている。これらの構成要素は、制御バス１６を介して互いに接続されている。
【００４０】
ＣＰＵ１１は、メモリ１２または記憶装置１３に格納された制御プログラムに基づいて所定の処理を実行して、ウェアラブル端末装置１０の動作を制御する。なお、本実施形態では、ＣＰＵ１１は、メモリ１２または記憶装置１３内に格納された制御プログラムを読み出して実行するものとして説明したが、当該プログラムをメモリカード等の記憶媒体に格納してＣＰＵ１１に提供することも可能である。
【００４１】
図３は、上記の制御プログラムが実行されることにより実現されるウェアラブル端末装置１０の機能構成を示すブロック図である。
【００４２】
本実施形態のウェアラブル端末装置１０は、図３に示されるように、制御部４１と、表示部４２と、記憶部４３と、通信部４４とを備えている。
【００４３】
記憶部４３は、操作画面の個人設定情報であるカスタマイズ情報を格納する。ここで、カスタマイズ情報とは、操作画面をユーザ毎に設定するための情報であって、例えば、コピー、ファックス、プリント、電子メール、スキャン等の機能メニューの表示順序や、表示部の大きさ（サイズ）や、機能メニューの大きさ（サイズ）や、各機能メニューの表示位置等が含まれる情報である。
【００４４】
通信部４４は、上記で説明したＢｌｕｅｔｏｏｔｈ（登録商標）を介して画像形成装置２０Ａ，２０Ｂ等の他装置との間でデータの送受信を行う。また、通信部４４は、カスタマイズ情報を生成した画像形成装置２０Ａとは異なる他の画像形成装置２０Ｂと接続された場合、記憶部４３に記憶されたカスタマイズ情報を接続された画像形成装置２０Ｂに送信する。
【００４５】
表示部４２は、いわゆるタッチパネル等の操作画面により構成され、画像形成装置２０Ａ，２０Ｂに対する操作を受け付けたり、操作結果、処理結果等をユーザに示すために表示する。また、表示部４２は、画像形成装置２０Ａから送信されたカスタマイズ情報や、記憶部４３に格納されているカスタマイズ情報を用いて、画像形成装置２０Ａにおいて生成された操作画面（以下、カスタマイズ画面と記す）を表示する。
【００４６】
制御部４１は、表示部４２に画像形成装置２０Ａから送信されたカスタマイズ画面を表示する場合、画像形成装置２０Ｂの操作画面における表示機能（操作機能）を一時的に停止するよう制御する表示制御手段として機能する。また、制御部４１は、表示部４２に表示されたカスタマイズ画面に対するユーザの操作に基づいて、画像形成装置２０Ｂの動作を制御する動作制御手段として機能する。
【００４７】
また、制御部４１は、表示部４２の操作画面の大きさに合わせて、画像形成装置２０Ａから送信されたカスタマイズ画面の表示内容を変更するよう制御する。具体的には、制御部４１は、表示部４２の操作画面の大きさに合わせて、画像形成装置２０Ａから送信されたカスタマイズ画面の大きさを変更して表示するよう制御する。また、制御部４１は、表示部４２の操作画面の大きさに合わせて、画像形成手段２０Ａから送信されたカスタマイズ画面を複数ページに分けて表示するよう制御する。
【００４８】
次に、本実施形態の情報処理システムにおける画像形成装置２０のハードウェア構成を図４に示す。以下、画像形成装置２０Ａと画像形成装置２０Ｂについて同様の構成について説明する場合には、画像形成装置２０と称して説明する。
【００４９】
画像形成装置２０は、図４に示されるように、ＣＰＵ２１と、一時的にデータを保存可能なメモリ２２と、ハードディスクドライブ（ＨＤＤ）等の記憶装置２３と、タッチパネル又は液晶ディスプレイ並びにキーボードを含むユーザインタフェース（ＵＩ）装置２４と、スキャナ２５と、プリントエンジン２６と、外部の装置等との間でデータの送信及び受信を行う通信ＩＦ２７とを備えている。これらの構成要素は、制御バス２８を介して互いに接続されている。
【００５０】
プリントエンジン２６は、帯電、露光、現像、転写、定着などの工程を経て印刷用紙等の記録媒体上に画像を印刷する。
【００５１】
ＣＰＵ２１は、メモリ２２または記憶装置２３に格納された制御プログラムに基づいて所定の処理を実行して、画像形成装置２０の動作を制御する。なお、本実施形態では、ＣＰＵ２１は、メモリ２２または記憶装置２３内に格納された制御プログラムを読み出して実行するものとして説明したが、当該プログラムをＣＤ−ＲＯＭ等の記憶媒体に格納してＣＰＵ２１に提供することも可能である。
【００５２】
図５は、上記の制御プログラムが実行されることにより実現される画像形成装置２０の機能構成を示すブロック図である。
【００５３】
本実施形態の画像形成装置２０は、図５に示されるように、制御部３１と、表示部３２と、記憶部３３と、画像読取部３４と、通信部３５と、画像出力部３６と、認証部３７と、を備えている。
【００５４】
表示部３２は、いわゆるタッチパネル等の操作画面により構成され、画像形成装置２０に対する操作を受け付けたり、操作結果、処理結果等をユーザに示すために表示する。また、表示部３２は、操作画面をユーザ毎に設定するためのカスタマイズ情報を生成する生成手段として機能する。
【００５５】
記憶部３３は、印刷ジョブ等のデータを一時的に格納する。また、記憶部３３は、操作画面の個人設定情報としてのカスタマイズ情報を格納する。
【００５６】
通信部３５は、ウェアラブル端末装置１０との間でデータの送受信を行い、ウェアラブル端末装置１０から印刷ジョブを受信したり、画像データをファクシミリ送信したり、電子メールの送受信等を行っている。また、通信部３５は、操作結果、処理結果等をウェアラブル端末装置１０に送信する。また、通信部３５は、ウェアラブル端末装置１０との間でカスタマイズ情報の送受信を行っている。
【００５７】
認証部３７は、画像形成装置２０を使用しようとするユーザを、例えば、ＩＤ及びパスワードの入力、ＩＣカードによる認証等を用いて認証する。また、認証部３７は、ウェアラブル端末装置１０との接続時（通信時）に、認証処理を実行する。
【００５８】
制御部３１は、ウェアラブル端末装置１０から送信されたカスタマイズ情報又は記憶部３３に記憶されたカスタマイズ情報を用いてカスタマイズ画面を表示するよう制御する。
【００５９】
また、制御部３１は、画像形成装置２０Ｂの操作画面の大きさが、カスタマイズ情報を生成した画像形成装置２０Ａの操作画面の大きさと異なる場合に、画像形成装置２０Ｂの操作画面の大きさに合わせて、ウェアラブル端末装置１０から送信されたカスタマイズ画面の表示内容を変更するよう制御する。具体的には、制御部３１は、画像形成装置２０Ｂの操作画面の大きさに合わせて、ウェアラブル端末装置１０から送信されたカスタマイズ画面の大きさを変更するよう制御する。また、制御部３１は、画像形成装置２０Ｂの操作画面の大きさに合わせて、ウェアラブル端末装置１０から送信されたカスタマイズ画面を複数ページに分けて表示されるよう制御する。
【００６０】
画像出力部３６は、印刷用紙等の記録媒体上に画像を出力する処理を実行する。また、画像読取部３４は、原稿をスキャンすることにより原稿画像を読み取る処理を実行する。
【００６１】
図６（Ａ）〜図６（Ｃ）は、記憶部３３又は／及び記憶部４３に格納されるカスタマイズ情報の一例を示す図である。図７（Ａ）は、図６（Ａ）及び図６（Ｂ）のカスタマイズ情報を用いて生成されるカスタマイズ画面の一例を示す図であり、図７（Ｂ）は、図６（Ａ）及び図６（Ｃ）のカスタマイズ情報を用いて生成されるカスタマイズ画面の一例を示す図である。
【００６２】
カスタマイズ情報として、表示部３２のサイズや、表示部３２に表示する機能メニューのサイズや、表示部３２に表示するコピー、ファックス、プリント、電子メール、スキャン等の機能メニューの表示順序や、表示部３２に表示する各機能メニューの表示位置等が含まれる。ここで、機能メニューの表示位置として表示部３２における座標位置が用いられる。例えば表示部３２の左上の機能メニュー（図７（Ａ）においてはコピー、図７（Ｂ）において電子メール）の左上の点を原点（０，０）、横軸をｘ軸、縦軸をｙ軸とした場合に、各機能メニューの左上の点の座標をカスタム情報として保存する。そして、例えば図６（Ａ）及び図６（Ｂ）のカスタマイズ情報を用いて図７（Ａ）に示されるようなカスタマイズ画面が表示される。また、図６（Ａ）及び図６（Ｃ）のカスタマイズ情報を用いて図７（Ｂ）に示されるようなカスタマイズ画面が表示される。  
【００６３】
次に、画像形成装置２０Ａとウェアラブル端末装置１０における動作について、図８及び図９に基づいて説明する。
【００６４】
以下の説明では、画像形成装置２０Ａにおいて、操作画面のコピー、スキャン、ファックス、電子メール、プリント等の各種機能メニューの表示をカスタマイズしてユーザＡのカスタマイズ情報として予め登録し、ウェアラブル端末装置１０に保存する場合を用いて説明する。
【００６５】
画像形成装置２０Ａの表示部３２には、図８に示されているように、コピー、スキャン、ファックス、電子メール、プリント等の複数の機能メニューが表示された操作画面（ホーム画面）が表示される。そして、ウェアラブル端末装置１０を、画像形成装置２０Ａの通信可能範囲に近づける。そして、画像形成装置２０Ａの認証部３７により認証されると（ステップＳ１００）、カスタマイズ登録画面が表示され、各機能メニューの表示順序や表示位置等の入力、選択によりカスタマイズ情報が生成され（ステップＳ１０１）、格納先を指定してカスタマイズ情報を登録する（ステップＳ１０２）。ここでは、ユーザＡのカスタマイズ情報を、画像形成装置２０Ａの記憶部３３に保存し（ステップＳ１０３）、このカスタマイズ情報を、ウェアラブル端末装置１０へ送信する（ステップＳ１０４）。そして、ウェアラブル端末装置１０は、画像形成装置２０Ａにより送信されたカスタマイズ情報を記憶部４３に保存する（ステップＳ１０５）。
【００６６】
次に、ウェアラブル端末装置１０と画像形成装置２０Ｂの動作について、図１０に基づいて説明する。
【００６７】
以下の説明では、画像形成装置２０ＢにユーザＡのカスタマイズ情報が保存されておらず、ウェアラブル端末装置１０に保存されたユーザＡのカスタマイズ情報を用いて、画像形成装置２０Ｂの操作画面上にユーザＡのカスタマイズ画面を表示させる場合を用いて説明する。
【００６８】
ウェアラブル端末装置１０を、画像形成装置２０Ｂの通信可能範囲に近づける。そして、画像形成装置２０Ｂの認証部３７により認証されると（ステップＳ２００）、画像形成装置２０Ｂは、自装置の記憶部３３に認証部３７により認証されたユーザＡのカスタマイズ情報が格納されているか否かが確認される（ステップＳ２０１）。そして、ユーザＡのカスタマイズ情報が自装置の記憶部３３に格納されていないと判定されると、通信部３５によりウェアラブル端末装置１０の記憶部４３にユーザＡのカスタマイズ情報が格納されているか問い合わせる（ステップＳ２０２）。ウェアラブル端末装置１０の記憶部４３にユーザＡのカスタマイズ情報が格納されているため、ウェアラブル端末装置１０は、ユーザＡのカスタマイズ情報を画像形成装置２０Ｂに送信する（ステップＳ２０３）。そして、画像形成装置２０Ｂの操作画面上に、ユーザＡのカスタマイズ情報を用いて生成されたカスタマイズ画面が表示される（ステップＳ２０４）。
【００６９】
次に、画像形成装置２０Ｂの動作について、図１１に基づいて詳述する。
【００７０】
画像形成装置２０Ｂは、認証部３７により特定されたユーザＡのカスタマイズ情報が記憶部３３に格納されているか否かを判定する（ステップＳ３００）。自装置の記憶部３３にユーザＡのカスタマイズ情報が格納されている場合には（ステップＳ３００においてＹｅｓ）、制御部３１は、表示部３２にユーザＡのカスタマイズ情報を用いて生成されたカスタマイズ画面を表示するように制御する（ステップＳ３０１）。
【００７１】
また、記憶部３３にユーザＡのカスタマイズ情報が格納されていない場合には（ステップＳ３００においてＮｏ）、制御部３１は、ウェアラブル端末装置１０にユーザＡのカスタマイズ情報が格納されているか否かを判定する（ステップＳ３０２）。そして、ウェアラブル端末装置１０にユーザＡのカスタマイズ情報が格納されていない場合には（ステップＳ３０２においてＮｏ）、画像形成装置２０Ｂの表示部３２にデフォルトの操作画面を表示する（ステップＳ３０３）。
【００７２】
また、ウェアラブル端末装置１０にユーザＡのカスタマイズ情報が格納されている場合には（ステップＳ３０２においてＹｅｓ）、画像形成装置２０Ｂは、ウェアラブル端末装置１０からユーザＡのカスタマイズ情報を抽出し、抽出した画像形成装置２０Ａの表示部３２の大きさと画像形成装置２０Ｂの表示部３２の大きさとを比較する。そして、画像形成装置２０Ａの表示部３２の大きさが、画像形成装置２０Ｂの表示部３２の大きさと同じか否かが判定される（ステップＳ３０４）。
【００７３】
そして、画像形成装置２０Ａの表示部３２の大きさが、画像形成装置２０Ｂの表示部３２の大きさと同じである場合には（ステップＳ３０４においてＹｅｓ）、抽出したカスタム情報の機能メニューサイズ、機能メニュー表示位置等を用いて、機能メニュー表示順序の機能メニューを表示部３２に表示してカスタマイズ画面を表示する（ステップＳ３０５）。
【００７４】
また、画像形成装置２０Ａの表示部３２の大きさが、画像形成装置２０Ｂの表示部３２の大きさと異なる場合には（ステップＳ３０４においてＮｏ）、抽出したカスタム情報の機能メニューサイズ、機能メニュー表示位置等を用いて、画像形成装置２０Ｂの表示部３２の大きさに合うように比率計算する。そして、比率計算したカスタム情報の機能メニューサイズ、機能メニュー表示位置等を用いて、機能メニュー表示順序の機能メニューを表示部３２に表示してカスタマイズ画面を表示する（ステップＳ３０６）。また、画像形成装置２０Ａの表示部３２の大きさが、画像形成装置２０Ｂの表示部３２の大きさと異なる場合に、ウェアラブル端末装置１０から送信されたカスタマイズ情報を用いて生成されたカスタマイズ画面の機能メニュー表示を、図１２に示されるように複数ページに分けて表示されるようにしてもよい。
【００７５】
また、図１３に示されているように、ウェアラブル端末装置１０の表示部４２に、画像形成装置２０Ａから送信されたカスタマイズ画面を表示させることができる。
【００７６】
このとき、ウェアラブル端末装置１０の表示部４２の大きさに合わせて、画像形成装置２０Ａから送信されたカスタマイズ情報を用いて生成された操作画面の表示内容を変更する。具体的には、制御部４１は、表示部４２の操作画面の大きさに合わせて、画像形成装置２０Ａから送信されたカスタマイズ情報を用いて生成された操作画面の大きさを変更して表示するよう制御する。また、制御部４１は、表示部４２の操作画面の大きさに合わせて、画像形成手段２０Ａから送信されたカスタマイズ情報を用いて生成された操作画面を複数ページに分けて表示するように制御する。
【００７７】
そして、制御部４１は、表示部４２に、画像形成装置２０Ａから送信されたカスタマイズ情報を用いて生成された操作画面を表示する場合、画像形成装置２０Ｂの操作画面における表示機能（操作機能）を一時的に停止するよう制御する。そして、ユーザは、表示部４２に表示されたカスタマイズ画面を用いて、画像形成装置２０Ｂによりコピー、プリント等の処理を実行することができる。
【００７８】
上記実施形態では、画像形成装置２０Ａ及び画像形成装置２０Ｂは、認証されたウェアラブル端末装置１０との間でカスタマイズ情報を送受信する構成について説明したが、本発明はこれに限定されるものではなく、無線通信や有線通信等により接続が確認されたウェアラブル端末装置１０との間でカスタマイズ情報を送受信する場合に適用される。具体的には、コンビニエンスストア等に設置された複合機等においても、接続が確認された場合に、ウェアラブル端末装置１０に格納したカスタマイズ情報を用いて生成された操作画面（カスタマイズ画面）を表示させることができる。つまり、コンビニエンスストア等に設置された複合機等においても、通常使用している画像形成装置の操作画面と同じ操作画面で操作することができ、操作時間を短縮することができる。
【００７９】
また、上記実施形態では、携帯端末装置の一例として、リスト型のウェアラブル端末装置１０を用いて説明したが、本発明はこれに限定されるものではなく、眼鏡型のウェアラブル端末装置等のユーザが身に着けて携帯可能な携帯端末装置を用いた場合に適用される。
【００８０】
また、上記実施形態では、携帯端末装置の一例として、ユーザが身に着けて携帯可能な携帯端末装置を用いて説明したが、本発明はこれに限定されるものではなく、スマートフォン、タブレット端末装置等のユーザが携帯可能な携帯端末装置を用いた場合にも適用される。
【符号の説明】
【００８１】
１０    ウェアラブル端末装置
２０Ａ，２０Ｂ    画像形成装置
３１    制御部
３２    表示部
３３    記憶部
３４    画像読取部
３５    通信部
３６    画像出力部
３７    認証部
４１    制御部
４２    表示部
４３    記憶部
４４    通信部
【図１】
2020030708.tif 000003
【図２】
2020030708.tif 000004
【図３】
2020030708.tif 000005
【図４】
2020030708.tif 000006
【図５】
2020030708.tif 000007
【図６】
2020030708.tif 000008
【図７】
2020030708.tif 000009
【図８】
2020030708.tif 000010
【図９】
2020030708.tif 000011
【図１０】
2020030708.tif 000012
【図１１】
2020030708.tif 000013
【図１２】
2020030708.tif 000014
【図１３】
2020030708.tif 000015